(57)【要約】 【課題】ポンプディスペンサーの改良技術の提供。【解決手段】  改良のポンプ技術は、ピストンをもつポンプ本体を備えるポンプディスペンサーである。ベースは、流体タンクに関係するポンプ本体を支える。トリガーは、第１の部分と第２の部分とに間に伸びる。それら第1の部分と第2の部分との中間には、ベースに関して設けたトリガーピボットがある。カムとカムフォロアーとが、トリガーの第１部分とピストンとを連結し、トリガーの第2の部分を押し下げることにより、ピストンを動かしてポンプ本体オリフィスから流体を噴霧する。【選択図】図１
2019531984.tif 000002
【特許請求の範囲】
【請求項１】
流体タンクから流体を放出するための、改良したポンプディスペンサーであって、次の構成および条件を備えることを特徴とする、ポンプディスペンサー。
・ポンプ本体オリフィスをもつポンプ本体。
・前記ポンプ本体にスライド可能に配置したピストン。
・前記流体タンクに関して前記ポンプ本体を支持するベース。
・第１の部分と第２の部分との間に伸びるトリガー。
・前記ベースに関して前記トリガーを旋回可能に取り付けるベースピボット。
・前記トリガーの前記第１の部分を前記ピストンに結びつける、カムおよびカムフォロアーであり、それらのカムおよびカムフォロアーにより、前記トリガーの第２の部分を押し下げることにより、前記ピストンを動かし、前記ポンプ本体オリフィスから流体を噴霧することができる。
【請求項２】
前記ベースは、前記ポンプ本体を前記ベースに固定する構成であり、それにより、異なるポンプ本体に交換可能である、請求項１のポンプディスペンサー。
【請求項３】
前記ポンプ本体を覆うフードを含み、それにより、ポンプディスペンサーの外観を変えることができる、請求項１のポンプディスペンサー。
【請求項４】
前記ベースから伸びるアームを含み、前記トリガーを旋回するよう前記アームに前記ベースピボットを据え付けた、請求項１のポンプディスペンサー。
【請求項５】
前記カムは、前記トリガーの前記第１の部分にあり、前記カムフォロアーは、前記ピストンに結合されている、請求項１のポンプディスペンサー。
【請求項６】
前記カムは、前記トリガーの前記第１の部分にあり、前記カムフォロアーは、前記ピストンと相互に連結したリンケージに配置されている、請求項１のポンプディスペンサー。
【請求項７】
前記ピストンと相互に連結したリンケージを含み、前記カムは、前記トリガーの前記第１の部分にあり、前記カムフォロアーは、前記リンケージに配置されている、請求項１のポンプディスペンサー。
【請求項８】
前記ポンプ本体にスライド可能に取り付けたリンケージを含み、前記カムは、前記トリガーの前記第１の部分にあり、前記カムフォロアーは、前記リンケージに配置され、前記カムの旋回運動を前記カムフォロアー直線運動に変える、請求項１のポンプディスペンサー。
【請求項９】
次の構成および条件を備えることを特徴とする、請求項１のポンプディスペンサー。
・前記ポンプ本体は、第１および第２の円筒形の端の間に伸びる。
・前記ポンプ本体に定まる直線スロット。
・前記直線スロットにスライド可能に取り付けたリンケージ。
・前記カムは、前記トリガーの前記第１の部分にある。
・前記カムフォロアーは、前記リンケージに配置され、前記カムの旋回運動を前記カムフォロアー直線運動に変える。
【請求項１０】
前記ポンプ本体は、第１および第２の円筒形の端の間に伸び、前記ポンプ本体の前記第１の端にポンプ本体オリフィスがあり、前記ピストンから前記ポンプ本体オリフィスまでの直線的な流体通路がある、請求項１のポンプディスペンサー。
【請求項１１】
前記ピストンに対し仕事をしない位置に向かう力を与えるリターンスプリングを含み、前記トリガーのピボットは、前記リターンスプリングの力に抗して前記ピストンを動かし、前記ポンプ本体オリフィスから流体を噴霧する、請求項１のポンプディスペンサー。
【請求項１２】
流体タンクから流体を放出するための、改良したポンプディスペンサーであって、次の構成および条件を備えることを特徴とする、ポンプディスペンサー。
・第１および第２の円筒形の端の間に伸びるポンプ本体。
・前記ポンプ本体の前記第１の端にあるポンプ本体オリフィス。
・前記ポンプ本体にスライド可能に設けたピストン。
・前記流体タンクに関して前記ポンプ本体を支持するベース。
・第１の部分と第２の部分との間に伸びるトリガー。
・前記ベースに関して前記トリガーを旋回可能に取り付けるベースピボット。
・前記トリガーの前記第１の部分に定まる第１および第２のカム。
・前記ポンプ本体の向かい合う側を跨ぐ、Ｕ形状のリンケージであり、前記ピストンにかかわり合うリンケージ。
・前記Ｕ形状のリンケージの第１および第２の末端にある第１および第２のカムフォロアーであり、前記トリガーの前記第１の部分に定まる第１および第２のカムと結合し、前記トリガーの前記第２の部分の旋回運動を可能にし、前記ピストンを直線的に動かし、前記ポンプ本体オリフィスから流体を噴霧する。
【請求項１３】
前記第１および第２のカムフォロアーのそれぞれは、複数のカムフォロアー突起を含む、請求項１２のポンプディスペンサー。
【請求項１４】
前記ポンプ本体の向かい合う両側に、第１および第２の直線スロットがあり、前記第１および第２の直線スロットに、前記Ｕ形状のリンケージがスライド可能に設けられる、請求項１２のポンプディスペンサー。
【請求項１５】
前記ポンプ本体の向かい合う側に伸びる、第１および第２の直線スロットがあり、前記第１および第２の直線スロットに、前記Ｕ形状のリンケージがスライド可能に設けられる、請求項１２のポンプディスペンサー。
【請求項１６】
前記第１および第２のカムは、前記ポンプ本体オリフィスの対向する隣接する側にあって、前記トリガーの前記第１の部分に定まっている、請求項１２のポンプディスペンサー。
【請求項１７】
流体タンクから流体を放出するための、改良したポンプディスペンサーであって、次の構成および条件を備えることを特徴とする、ポンプディスペンサー。
・中にピストンをスライド可能に支持し、ポンプ本体オリフィスから流体を放出するポンプ本体。
・前記ポンプ本体と前記流体タンクとの間に入るベース。
・前記ポンプ本体を前記流体タンクに連通し、前記流体タンクから前記ポンプ本体への流体の流れを可能とする一方向弁。
・前記ポンプ本体を前記流体タンクに連通するベント。
・前記ベースに関して旋回可能に設けたトリガー。
・前記トリガーは、間にトリガーピボットを伴う、第１の部分および第２の部分の間に伸びる。
・前記トリガーピボットにかかわり合い、前記トリガーを旋回可能にするベースピボット。
・前記トリガーの前記第１の部分を前記ピストンに結びつける、カムおよびカムフォロアーであり、それらのカムおよびカムフォロアーにより、前記トリガーの第２の部分を押し下げることにより、前記ピストンを動かし、前記ポンプ本体オリフィスから流体を噴霧することができる。
【請求項１８】
次の構成および条件を備えることを特徴とする、請求項１７のポンプディスペンサー。
・前記ピストンは、前記ピストン本体の内部にスライド可能に設けられる。
・前記ポンプ本体の閉じた端と前記ピストンとの間にあり、前記ピストンに対し仕事をしない位置に向かう力を与えるリターンスプリング。
・前記トリガーは旋回し、前記リターンスプリングの力に抗して前記ピストンを動かし、前記ポンプ本体オリフィスから流体を噴霧する。
【請求項１９】
前記ポンプ本体を前記ベースに結合するベースコネクタは、変形を伴う結合によって前記ポンプ本体を前記ベースに結合する、請求項１７のポンプディスペンサー。
【請求項２０】
前記ベースコネクタは、変形を伴う結合によって前記ポンプ本体を前記ベースに結合し、それによって、組立てを簡単にすること、および/またはポンプディスペンサーの外観を変えること、を可能にする、請求項１７のポンプディスペンサー。
【請求項２１】
前記ベースコネクタは、変形を伴う結合によって前記ポンプ本体を前記ベースに結合し、それによって、ノズルデザインを複合化し、ポンプディスペンサーの噴霧特性を変えることができる、請求項１７のポンプディスペンサー。
【請求項２２】
前記ベースコネクタは、変形を伴う結合によって前記ポンプ本体を前記ベースに結合し、それによって、トリガー要素を複合化し、ポンプディスペンサーの外観、作動力および使い勝手を変えることができる、請求項１７のポンプディスペンサー。
【請求項２３】
中にピストンをスライド可能に支持し、ポンプタンクからポンプ本体オリフィスを通して流体を放出するポンプ本体をもつポンプのための改良したアクチュエータであって、次の構成および条件を備えることを特徴とする、アクチュエータ。
・前記流体タンクを連結するための流体タンクアタッチメントをもつベース。
・前記ポンプ本体を前記ベースに固定するベースコネクタ。
・前記ポンプ本体を前記流体タンクに連通し、前記流体タンクから前記ポンプ本体への流体の流れを可能とする一方向弁。
・前記ポンプ本体を前記流体タンクに連通するベント。
・前記ベースに関して旋回可能に設けたトリガー。
・前記トリガーは、間にピボットポイントを伴う、第１の部分および第２の部分の間に伸びる。
・前記トリガーを旋回する前記ピボットポイントにかかわり合い、前記ベースに関して設けたピボット。
・前記トリガーの前記第１の部分を前記ピストンに結びつける、カムおよびカムフォロアーであり、それらのカムおよびカムフォロアーにより、前記トリガーの第２の部分を押し下げることにより、前記ピストンを動かし、前記ポンプ本体オリフィスから流体を噴霧することができる。
【請求項２４】
前記ベースコネクタは、前記ポンプ本体を前記ベースに固定し、異なるポンプ本体の取替えを可能とした、請求項２３のアクチュエータを含むポンプディスペンサー。
【請求項２５】
前記ポンプ本体を覆うフードを含み、ポンプディスペンサーの外観を変えることができる、請求項２３のアクチュエータを含むポンプディスペンサー。
【発明の詳細な説明】
【技術分野】
【０００１】
この発明は、流体および液体の供給技術に関し、より詳しくは、トリガー式ポンプディスペンサーおよびポンプ用トリガー式アクチュエータの改良技術に関する。
【背景技術】
【０００２】
広範囲の流体および液体を供給するために、いろいろなタイプのトリガー式ポンプディスペンサーが考え出されている。今までのそれらのトリガー式ポンプディスペンサーは、装置が大変便利であることから広く受け入れられている。最も望ましいことは、トリガー式ポンプが、最小のトリガー指力をもって有効なスプレー噴霧を生じることである。最小のトリガー指力による有効なスプレー噴霧を得るために、今まで継続的な努力がなされ、トリガー式ポンプディスペンサーの設計について改良が図られている。トリガー式ポンプディスペンサーの改良設計は、ポンプによる供給メカニズムに集中し、流体タンクから末端の開口部への流体の連絡を改良することであった。以下の特許文献は、トリガー式ポンプ技術の進歩を図るための代表的な試みを示す。
【先行技術文献】
【特許文献】
【０００３】
多田の米国特許3,897,006号は、液体を入れる容器と、その液体をノズルから吸入、吐出するためのピストンを伴う噴出器ヘッドと、そのヘッドを容器に連結するためのネック部分とを備え、そのネック部分には、容器の内部を大気に連通する口がある、噴霧器を示す。ネック部分の口は、フレキシブルな閉じ部材によって通常閉じており、ピストンが作動すると、作動ロッドによって開き、容器内部の負圧を放出する。
【０００４】
多田の米国特許3,913,841号は、背圧で液体を吸い上げ、液体に圧力を加えることにより、液体を霧化した形態でノズルから噴出させる噴出器を示す。その噴出器は、吸入パイプおよびその吸入パイプに連通するシリンダーを伴う噴出器本体と、閉じた端部から開口した端部に向かって伸び、吸入パイプに連通する、円筒形の突起とを備える。その円筒形の突起を取り囲むように、噴出器本体に対し、ピストンがスライド可能に支持されている。そのピストンは液体チャンバを定めるが、その液体チャンバは、ピストンがシリンダーの閉じた端部に最も近接するように動くとき、液体チャンバの体積が最小になるようになっている。その結果、ピストンがそう動くとき、そのチャンバ内の液体は、高圧で有効に噴出される。
【０００５】
ロマグリオの米国特許4,199,083号は、手動で作動するトリガー式ポンプを示す。そのポンプは、そこから液体を供給する容器の首部に合うように形作られている。ポンプは、そこに連結したトリガーを伴う主ハウジングと、そのハウジング内に入り、トリガーにかみ合うフレキシブルな袋と、ハウジングに取り付けたノズルとを備える。トリガーが袋にかみ合うことにより、流体を袋からノズルを通して外に押し出す。
【０００６】
ウイッケンバーグの米国特許4,273,268号は、末端のオリフィスを通して流体容器から流体を噴出するための流体スプレーポンプであり、第１および第2の端のある内部シリンダーを含むハウジングを備えるものを示す。内部カラー口のあるカラーが、ハウジング内部シリンダーの第１端の近くに支持されている。ポンプの胴体は、内部カラー口内にスライド可能に入っている。その胴体には内部孔があり、その内部孔は末端のオリフィスに連通している。ステムをもつピストンは、ピストン胴体の内部孔に入り、また、ピストンヘッドはハウジングの内部シリンダー内にある。ピストンステムに沿って流路があり、それらの流路がハウジング内部シリンダーと末端のオリフィスとを連通する。ピストンおよびポンプ胴体に対してリング状のシールがスライド可能に取り付けられている。そのリング状シールが、ピストンヘッドとピストンステムとの間に形作られた肩部に臨むとき、流路手段を密閉する。ポンプ胴体がハウジング内部シリンダーの第２端に向かって動くことにより、リング状シールがピストンの肩部から変位すると、流路手段を通して末端のオリフィスへの流体の流れが可能となる。
【０００７】
ガーニュウの米国特許4,527,741号は、上部の水平に伸びる部分と、下部の垂直に伸びる部分とをもつ本体を備えるトリガー式噴出器を示す。本体には通路があり、その通路は、上部部分の一端から下部部分の下の部分まで伸びている。円筒形の凹みおよび円筒形の窪みが、その下の部分から下部部分の中に伸びている。インサート部材が、凹みおよび窪みの中に入っている。そのインサート部材は、本体の通路に連通する通路を含み、流体の容器に対するインサート部材の下端には、キャップが結合されている。流体の容器に対するインサート部材には、チェック弁アセンブリが関係する。チェック弁アセンブリは、インサート部材の通路が関係し、下部のチェック弁を含む。弁の少なくとも一つには、細長い弁部材と、その弁部材から前方に伸びる円錐台形状のスカートとを含む。ポンプ作用アセンブリは、本体に取り付けられており、上部チェック弁と下部チェック弁との間のインサート部材の通路と連通する。
【０００８】
多田の米国特許4,558,821号は、この発明のようなトリガータイプの噴霧器であり、口部をもつ容器内の液体を吸い込み、加圧し、噴霧する技術を示す。その噴霧器は、容器の口部分に取り付けたハウジングと、そのハウジングの一端の部分に揺動可能に取り付けたトリガーと、トリガー上に形作られ、オリフィスをもつノズルと、ハウジングの中央部分に支持され、オリフィスに向き合うことができるシリンダーと、シリンダーの他端部分に取り付けられ、シリンダーの内部と容器の内部とを連結する吸込みチューブと、その一端がノズルに、他端がシリンダー内に位置し、シリンダーの内側表面にスライド可能に接触するピストンと、吸込みチューブとシリンダーとを選択的に接続するための主弁と、シリンダーとピストンとを選択的に接続する従弁とを備える。ハウジング、トリガー、ノズル、シリンダーおよび吸込みチューブは、統一体として形作る。
【０００９】
ソームほかの米国特許4,646,969号は、液体容器のネック部に支持され、密封されるものであり、その中に液体を入れる区画をもつハウジングを備える、複動式の機械的な液体噴霧装置を示す。ハウジングは、液体を入れる区画と一直線になっているが、そのハウジングの中に作動シリンダーがある。その作動シリンダーは、その長さ方向の中間位置を横切る環状の弁シートを伴う。液体を入れる区画の内部には、カフス形の液体ポンプ作用プランジャがある。そのプランジャは、前方の端部に位置するとき、弁シートと相協力して弁シートの開口を閉じる。そしてまた、プランジャは、前後の液体供給ストロークにおいて、液体を入れる区画の内部を往復運動する。そのようなストロークのそれぞれにおいて、プランジャは、液体を入れる区画内の液体を、案内通路を通して噴霧ノズルまで送る。プランジャと噴霧ノズルとの間の案内通路には、リリーフ弁およびリリーフ通路がある。それらは、液体を液体容器にまで戻し、プランジャの逆方向のストロークの終わり時点で、噴霧ノズルから大気を中に引き込み、それによって、前方向およびそれと逆方向のストロークのある各ポンプ作用の終わりの時点に噴霧ノズルをきれいにする。したがって、この装置を用いて、速乾性の液体を噴霧することができる。
【００１０】
ミカレフの米国特許4,826,052号は、製品を供給するためのポンプであり、容器のクロージュアとして役立つ供給ポンプを示す。そのポンプはシリンダーを含む。そのシリンダーは、後端が開き、前端が閉じた内部シェルと、内部シェルを取り囲み、その間に空洞を定める外部シェルとをもつ。内部シェルの中には、相互に支持するピストンがあり、ポンプ室を定めている。入口ポート手段は、外部シェルの通路を含み、吸込みストロークの間に、容器内部とポンプ室とを連通し、製品を入口ポートから空洞、それからポンプ室の中へと通す。ベントによって、容器からポンプ室に移った製品が空気に取り替わる。出口弁は、圧縮ストロークの間に出口ポートを開くため、そしてまた、吸込みストロークの間に出口ポートを閉じるために装備されている。そして、入口弁は、吸込みストロークの間に入口ポートを開くため、そしてまた、圧縮ストロークの間に入口ポートを閉じるために装備されている。
【００１１】
ブレークの米国特許4,955,511号は、安価で使い捨て式のトリガー作動ポンプを示し、シュラウドとノーズ部分とが単一のユニットとして成形されたポンプである。一つの形態において、ポンプハウジングが、シュラウドおよびノーズ部分と一緒に単一ユニットとして成形され、トリガーアクチュエータもまた、単一ユニットとして成形されてシュラウドを伴う次のアセンブリとなり、ハウジングおよびノーズ部分ユニット、リターンスプリング、ノーズ弁、浸しチューブおよび容器により完成したポンプを形作る。このように、このトリガー作動ポンプは、今までに作られたポンプよりもパーツ数が少ない。それにより、在庫目録および組立て工程を低減し、製造コストを下げることにより、容器の中味が空になった後、ポンプを捨てることができる。
【００１２】
ミカレフの米国特許5,054,659号は、容器上の複動トリガー式ポンプを示し、シリンダーとその中の相互的なピストンを含み、両者が協力し合ってポンプ主室を提供する。入口弁は、そのポンプ主室に製品を引き込むように規制する。複動ピストンシールがピストンの内部の端にあり、ピストンの長さ方向の孔と同軸の出口弁を含む。ポンプ副室、これもまた孔に連通しているが、その室は、複動ピストンシールおよび後方の保持リングと同様、ピストンの外部表面とシリンダーの内部表面との間に定まる。ピストンの圧縮ストロークの間、製品は、ポンプのポンプ主室から供給され、ポンプ副室を満たす。また、ピストンの吸込みストロークの間、製品は、容器からポンプ主室に引き込まれ、ポンプのポンプ副室から放出される。
【００１３】
マースほかの米国特許5,318,206号は、本体およびポンプ機構をもつ流体供給装置のためのトリガー作動ポンプ機構を示す。その機構は、供給装置の本体内のシリンダーと、シリンダー内にあって、外部端まで外に伸びるピストンロッドを伴うピストンと、本体に可動に支持され、前面および後面をもつトリガーとを備える。第１の結合構造は、トリガーを結合するためのものであり、ピストンロッドの外部端に提供される。第２の結合構造は、第1の結合構造をピストンロッドに取外し可能に結合するためのものであり、トリガーの後面に提供される。その第2の結合構造は、スナップ結合によるものであり、シリンダーの外側のばねによって、トリガーを本体から遠ざけるような力を与える。
【００１４】
シルベニスの米国特許5,341,967号は、液体を多方向に供給あるいは分与することに用いることができる、トリガー式の噴霧ディスペンサーを示す。そのディスペンサーは、在来のトリガー式噴霧器の機構を組み入れており、逆さにしてもディスペンサーの内容物がベントオリフィスから漏れることがない。その機構は、浸しチューブのチャンバに連通するバイパス室を備える。そのバイパス室は、ディスペンサーを逆さにするとき、浸しチューブの流れ通路に対して、補助的な流れ通路を作り出す。ディスペンサーを逆さにするとき、浸しチューブ内に残る流体が、流体ロックとして作用し、それによって、ディスペンサー内部の空気が浸しチューブからトリガー式噴霧器の中に逃げ出すことを防ぐ。したがって、バイパス機構によって、ディスペンサーの内容物をより有効に空にすることができる。
【００１５】
フォスターほかの米国特許5,344,053号は、トリガー式噴霧器装置であり、噴霧器ハウジングと通気ハウジングとが互いに独立に作られ、その後に一緒にまとめられるものを含む技術を示す。分離した噴霧器ハウジングと通気ハウジングとを提供することにより、噴霧器装置は、装置の構成部分に不具合な形状が生じることを大きく減らすことができる。噴霧器ハウジングと通気ハウジングとを別々に成形することにより、ポンプ室の円筒形の内部表面、および通気室の円筒形の内部表面をより正確に成形することができる。また、噴霧器と通気ハウジングとを別々に成形することにより、それらの各構成部分の成形に必要な材料の量を少なくすることができる。したがって、構成部分の冷却に伴う材料の収縮を大きく低減する。そのことは、それらの構成部分の大事な領域における変形やひけの発生をなくす。
【００１６】
ノッティンガムほかの米国特許5,402,916号は、手始動で複数の容器をもつトリガー式噴霧器であり、複数の流体容器に取外し可能に結合した噴霧器ヘッドアセンブリを含むものを示す。噴霧器ヘッドアセンブリは、外部ハウジングと、そのハウジングに取り付けたノズルと、ハウジングの内部に入ったポンプ機構と、複数の流体容器のそれぞれをハウジング内のポンプ機構に結合する配管とをもつ。トリガーつまりはレバーによって、ポンプ機構を始動すると、複数の流体容器のそれぞれから配管を通して流体を引込み、そして、その流体をノズルから放出する。計量装置が流体容器とポンプ機構との間に位置し、ハウジングの外部からアクセスし、容器から引き込む流体の量を選択的に制御する。その計量装置は、各流体容器に対するポンプ機構への流路を含む。それらの流路の少なくとも一つの直径および長さについて、流体容器から引き込む流体量を選択的に制御するようにコントロールすることができる。
【００１７】
クランプトンの米国特許5,492,275号は、粘性の液体を供給するための、手操作ポンプ噴霧器およびシステムを示す。ノズルは、手操作ポンプ噴霧器の放出通路の周りに回転可能に支持されている。ノズルは、手操作ポンプ噴霧器のトリガーに互いにつながっている。そのため、トリガーを引くことに応じて、ノズルは回転し、同時に液体を大気に放出する。ノズルは、その放出中心軸を通る回転軸周りを回転する。そのノズルの回転角度は、約９０°から約３６０°、好ましくは１８０°から３６０°、さらに好ましくは２７０°以上である。好ましくは、ノズルが二つの放出口をもつのが良く、それらの放出口は、交差する放出軸に沿って、手操作ポンプ噴霧器からの流体に向かう。同時に、交差する軸に沿って流体が放出されるので、ノズルは回転軸の周りを回転する。結果として生じる供給液体は、細かく微粒化した円形の噴霧パターンとなる。
【００１８】
グリンの米国特許5,711,459号は、液体物質を噴霧する、連続茶道のトリガー式噴霧器を示す。それは、容器に対するコネクタをもつ主ハウジングを含み、そして、作動シリンダーおよび液体室をもつ。それはまた、作動シリンダーの内部にあり、弁シート、一方向弁およびポンプロッドをもつポンプ要素を含む。ポンプ要素は、噴霧器ノズルに向かう方向に液体物質を通すことを許すが、液体室に向かう方向へは許さない。開口を伴うシートを含むリリーフ弁、および液体を容器に流れ戻すリリーフ通路がある。それらのリリーフ弁およびリリーフ通路は、ポンプ要素と協力し合う。また、ポンプ要素を動かすトリガーがある。
【００１９】
フォスターの米国特許5,810,209号は、供給すべき流体を保持する容器と、容器に固定され、手動操作で往復動する流体ポンプとを備えるディスペンサーを示す。流体ポンプは、ポンプ機構と、容器内に入っている液体に連通する吸込みポートと、吸込みポートとポンプ機構との間を連通する吸込み流れ通路と、放出ポートと、ポンプ機構と放出ポートの間を連通する放出流れ通路と、容器に結合するようになったクロージュアキャップ部分とを備える。クロージュアキャップ部分は、環状の形のスカートと、スカートの内側面から径方向内側に伸びるラグと、スカートの中にあり、ラグから周辺に間隔をおいた開口とを備える。容器は、その中に口のあるネックを含む。その口を通って容器内の液体が流れる。容器には、さらに、ネックの外側面にある、クロージュアキャップ部分のラグを受けるバヨネット構成、およびスカートの開口の中にまで径方向に伸びるタブがある。クロージュアキャップ部分のスカートを容器のネック上に位置させて、容器のネックに対しクロージュアキャップ部分を取外し可能に固定するとき、ラグはバヨネット構成に合うように形作られ、また、タブはスカートの開口に合うように形作られている。
【００２０】
スモレン  ジュニアほかの米国特許5,996,847号は、一対の実質的に同一の単一のプラスチック成形ユニットであって、各ユニットが、一端にピストン、他端にノズルヘッドを形作った管状ステムをもつ技術を示す。各ユニットは、一方に向いたメスのスナップ型コネクタ、そこから離れた位置にあり、同方向に向いたオスのスナップ型コネクタを備える。一対の成形ユニットは、並んだ配置であり、各ステムのメスのスナップ型コネクタの中に、オスのスナップ型コネクタがパチンとはまるようになっている。
【００２１】
フォン  シュックマンの米国特許6,234,412号は、手動レバーで始動することができ、ディスペンサーあるいは同様の装置に取り付ける噴霧ポンプを示す。そのポンプは、ハウジング側面のポンプ室の中を直線的にスライドすることができる。出口の後方側において、ピストンは手動レバーにつながり、ばねの力により基点位置に戻っている。ここでは、二つの統合した構成要素をレバーに結合することにより、シンプルで信頼性の高いポンプを製造するようにしている。構成要素の一つは、ハウジング側面の直線スライダの中をスライドするように置き、そして、他方は、出口と反対側において、ハウジングに固定し、二つの統合した構成要素を互いに折りたたむことができる、連続的な構成要素によって結合する。
【００２２】
ローマンほかの米国特許6,364,174号は、ピストン／ノズルユニットのリテーナおよび止め金具であって、トリガートラニオン（これがユニットを動かす）を受けるシリンダー孔の中の内部フィンガーを備える技術を示す。
【００２３】
フォン  シュックマンの米国特許6,439,481号は、手動でのレバー操作の噴霧ポンプであり、特には、ボトルあるいは同様なものに取り付けるためのものを示す。そのポンプには、ハウジング側面のポンプ室の中を直線的に動くポンププランジャがあり、そのプランジャは、マウスピース開口の後方で手動レバーに連結されている。そのプランジャは、ばねの力を受けて、そのスタート位置に戻る。構造的にシンプルであり、機能的に信頼性を高めるため、手動レバーに対し二つのヒンジ点を配置する。ヒンジ点の一つは、ハウジング側面の直線ガイドの中を移動可能であり、もう一方は、マウスピースの反対側のハウジング上に配列する。そのように、両方のヒンジ点を二つの曲がったブリッジ部分によって連結する。
【００２４】
ブローゼルほかの米国特許6,595,246号は、容器に取り付けるポンプ本体を示し、そこには、前方にある手動操作のポンプと、後方に直立した容器を満たすための導管とがある。容器を満たす工程において、導管を通して容器を満たし、その後に導管の最上部にクロージュアを付ける。クロージュアは、ポンプ本体ハウジングの構成要素になるだろう。それらのポンプ本体を伴う多数の容器を、同時に満たすことができる。
【００２５】
シュックマンほかの米国特許6,910,605号は、手動レバーにより始動し、液体を噴霧するポンプを示す。特には、ポンプピストンと一緒にボトル上に設置するポンプである。ポンプピストンは、ハウジング側面のポンプ室の中を圧縮ばねの力に抗して直線的に動き、マウスピースノズルから外へ液体を噴霧する。ポンプピストンは、結合引き部材によって、ピン付きの手動レバーに結合されている。結合引き部材は、ポンプピストンの後方側から、マウスピースノズルの方向におけるポンプピストンの移動経路に平行に伸びている。ポンプピストンの後方側の横材はポンプピストンのキャリヤの役割があるが、それによって単一の要素を構成している。手動レバーのピン部分は、スリット端に向かう圧縮ばねの圧縮力を受けて、開いたスリットの中に引っ掛かる。ポンプの長さ方向にあるフレーム形の結合引き部材が部分的に囲む開口は、手動レバー側面上を旋回可能であり、圧縮ばねがキャリヤチューブの端を圧縮し、そのチューブをマウスピースに適合させる。
【００２６】
グラハムの米国特許9,004,322号は、水平な表面に液体を下方に塗布するのに用いる、手動操作の噴霧ボトルを示す。その噴霧ボトルは、一般に、液体噴霧装置と液体貯蔵ボトルとを備える。液体貯蔵ボトルの上部には、ねじを切った開口があり、その部分に噴霧装置を取り付ける。また、液体噴霧装置は、内部のポンプアセンブリ、トリガーおよびノズルを含む。
【００２７】
米国特許公開2004/0222243-A1は、低コストのインライントリガー作動ポンプ噴霧器を示す。その噴霧器はポンプ本体を含み、そのポンプ本体は、一体の容器クロージュアおよび／または一体のシュラウドカバーをもつ。ヒンジを含むことにより、ポンプ本体に取り付けたトリガーレバートラニオン、あるいはポンプ本体に取り付けたトリガーレバーアセンブリを伴う。中空のポンプピストンは、クロージュアの中心軸に対して直角をなす放出通路を定める。弾性のある高分子物質からなる要素があることにより、ピストンリターンスプリング、入口チェック弁および放出チェック弁としての機能を得る。
【００２８】
以上の特許文献は、今までの技術の進歩に貢献するが、ポンプに対する有効なトリガー作動を組み入れたシンプルなトリガー式ポンプディスペンサーがまだ求められている。
【００２９】
したがって、この発明の目的は、トリガー式ポンプ技術に対して実質的な進歩をもたらす、改良したトリガー式ポンプディスペンサーを提供することにある。
【００３０】
この発明の他の目的は、今までの技術を越えた、すぐれた噴霧特性をもつ改良したトリガー式ポンプディスペンサーを提供することにある。
【００３１】
この発明の他の目的は、ポンプピストンから末端のオリフィスまでの流れ径路が直線である、改良したトリガー式ポンプディスペンサーを提供することにある。
【００３２】
この発明の他の目的は、トリガー作動力を低減した、改良したトリガー式ポンプディスペンサーを提供することにある。
【００３３】
この発明の他の目的は、トリガーとポンプピストンとの互いの連結が新しい、改良したトリガー式ポンプディスペンサーを提供することにある。
【００３４】
この発明の他の目的は、覆いのフードが交換可能であり、ポンプディスペンサーの外観を変えることができる、改良したトリガー式アクチュエータを提供することにある。
【００３５】
この発明の他の目的は、デザインがシンプルで経済的に有利に製造することができる、改良したトリガー式アクチュエータを提供することにある。
【００３６】
この発明の他の目的は、部品点数を低減した、改良したトリガー式アクチュエータを提供することにある。
【００３７】
この発明の他の目的は、異種かつ交換可能なポンプタイプに適応することができる、改良したトリガー式アクチュエータ構成を提供することにある。
【００３８】
以上には、この発明に関連する目的のいくつかのあらましを述べた。それらの目的については、この発明に関連する特徴や応用を示す実例を通して理解することができる。この発明の考え方の範囲でこの発明を変形することにより、その他の多くの利点を得ることができる。したがって、この発明のさらなる目的については、以下に述べる発明の概要および好ましい実施例を含む詳しい説明を参照することにより、より深く理解することができるであろう。
【発明の概要】
【００３９】
この発明は、付属の図面に示す具体的な実施例とともに、添付のクレームによって定まる。この発明のあらましを述べるとすれば、この発明は、ピストンをもつポンプ本体を備える流体タンクから流体を放出するための、改良されたポンプディスペンサーである。ベースは、流体タンクに関係するポンプ本体を支える。トリガーは、第１の部分と第２の部分とに間に伸びる。ベースは、ベースに関係するトリガーを回転可能に支持する。カムとカムフォロアーとが、トリガーの第１部分とピストンとを連結し、トリガーの第2の部分を押し下げることにより、ピストンを動かしてポンプ本体オリフィスから流体を噴霧する。
【００４０】
この発明の一つの実施例では、ベースに対するポンプ本体の取付けについて、変形を伴う結合で行うことにより、異なるポンプ本体を交換することができる。選択したフードでポンプ本体を覆うことにより、ポンプディスペンサーの外観を変えることができる。
【００４１】
この発明の他の実施例において、アームは、それに支持されたベースピボットを伴って、ベースから伸びている。カムは、トリガーの第1の部分に置き、カムフォロアーは、ピストンに結合する。カムフォロアーは、ピストンに関連する結合部材（リンケージ）に配置する。その結合に配置したカムフォロアーは、カムの回転運動をカムフォロアーの直線の動きに変える。好ましくは、その結合をポンプ本体に対しスライド可能に支持する。
【００４２】
この発明のさらに他の実施例において、ポンプ本体は、第１および第２の円筒端の間に伸びる。ポンプ本体には、直線のスロット（孔）がある。その直線のスロット内に結合部材（リンケージ）をスライド可能に支持する。
【００４３】
ポンプ本体は、ポンプ本体の第１の端部に定めたポンプ本体オリフィスと一緒に、第１および第２の円筒端の間に伸び、ピストンからポンプ本体オリフィスまでの直線的な流体通路を提供する。リターンスプリングは、ピストンに対し仕事をしない位置に向かう力を与える。トリガーの回転あるいは旋回により、ピストンはリターンスプリングの力に抗して動き、ポンプ本体オリフィスから流体を噴霧する。
【００４４】
この発明の他の実施例では、カムは第１のカムと第2のカムとを備え、それらのカムは、トリガーの第1の部分に定まる。結合部材（リンケージ）は、全体的にU形であり、ポンプ本体の対向する側をまたがり、ピストンと交える。カムフォロアーは第１のカムフォロアーと第２のカムフォロアーとを備え、それら第１および第２のカムフォロアーは、全体的にU形の結合部材（リンケージ）の第１および第２の末端に位置し、トリガーの第１の部分に定まる第１および第２のカムにつながっている。それにより、トリガーの第２の部分の回転をし、ピストンを直線的に動かし、ポンプ本体オリフィスから流体を噴霧することができる。一つの例において、第１および第２のカムフォロアーは、複数のカムフォロアー突起を含む。
【００４５】
この例において、第１および第２の直線スロット（孔）が、ポンプ本体の対向する側に定まる。それらの第１および第２の直線スロット（孔）には、全体的にU形の結合部材（リンケージ）がスライド可能に支持されている。第１および第２のカムは、ポンプ本体オリフィスの対向する隣接する側にあって、トリガーの第１の部分に定まっている。
【００４６】
この発明は、また、ポンプに対する改良したアクチュエータを包含している。そのポンプは、ポンプ本体をもち、そのポンプ本体の中にピストンをスライド可能に支持し、それにより、流体タンクからポンプ本体オリフィスを通して流体を放出する。改良したアクチュエータは、流体タンクに結合するためのアタッチメントをもつベースを備える。ベース接合具がベースに対してポンプ本体を固定し、異なるポンプ本体の交換を可能にする。
【００４７】
以上では、この発明を広く概観した。この発明に関連する大切な特徴については、引き続く詳しい説明によって、より深く理解することができるであろう。それにより、この発明の技術分野への貢献を充分に評価することができるであろう。この発明の追加の特徴について、以下に述べるが、それらもこの発明のものである。また、いわゆる当業者であれば、この発明の考え方や具体的な実施例を変更することにより、この発明の同様な目的を達成することができることは自明である。そのような等価の構成は、この発明の考え方の範囲から外れることはない。
【図面の簡単な説明】
【００４８】
この発明をより完全に理解するために、以下の説明および添付の図面を参照されたい。各図面の内容は、次のとおりである。
【図１】この発明の改良したポンプディスペンサーの第１の実施例を示す側面図である。
【図２】図１の改良したポンプディスペンサーについて装飾カバーを取り除いて示す側面図である。
【図３】図２のものの上面図である。
【図４】図2のものの前面図である。
【図５】図２のものの後面図である。
【図６】図５のものからトリガーを取り除いて示す６−６線に沿う断面図である。
【図７】図６のものの分解図であり、ベースからポンプ本体を分離して示す。
【図８】図１〜図7の中のポンプ本体の側面図である。
【図９】図８のものの上面図である。
【図１０】図８のものの後面図である。
【図１１】この発明の改良したポンプディスペンサーのピストンについて、前面から見た拡大した斜視図である。
【図１２】図１１のものについて、後面から見た拡大した斜視図である。
【図１３】図１１のピストンの側断面図である。
【図１４】そのピストンを前面から見た図である。
【図１５】そのピストンを後面から見た図である。
【図１６】図2〜図５の中の結合部材（リンケージ）を側面図である。
【図１７】図１６のものの上面図である。
【図１８】図１６のものの後面図である。
【図１９】図2〜図５の中の結合部材（リンケージ）およびポンプ本体の側面図である。
【図２０】図１９のものの上面図である。
【図２１】図１９のものの後面図である。
【図２２】図２の改良したポンプディスペンサーについて、トリガーを作動しない状態を示す斜視図である。
【図２３】図２２の２３−２３線に沿う断面図である。
【図２４】改良したポンプディスペンサーについて、トリガーをある程度押し下げた状態を示す、図２２と同様の斜視図である。
【図２５】図２４の２５−２５線に沿う断面図である。
【図２６】改良したポンプディスペンサーについて、トリガーを一杯に押し下げた状態を示す、図２４と同様の斜視図である。
【図２７】図２６の２７−２７線に沿う断面図である。
【図２８】図２３の中の一部を拡大した図である。
【図２９】図２５の中の一部を拡大した図である。
【図３０】図２７の中の一部を拡大した図である。
【図３１】この発明の改良したポンプディスペンサーの第２実施例を示す側面図である。
【図３２】図３１の改良したポンプディスペンサーについて装飾カバーを取り除いて示す側面図である。
【図３３】図３２のものの上面図である。
【図３４】図３2のものの前面図である。
【図３５】図３２のものの後面図である。
【図３６】図３５のものからトリガーを取り除いて示す３６−３６線に沿う断面図である。
【図３７】図３６のものの分解図であり、ベースからポンプ本体を分離して示す。
【図３８】図３１〜図３7の中のポンプ本体の側面図である。
【図３９】図３８のものの上面図である。
【図４０】図３８のものの後面図である。
【図４１】この発明の改良したポンプディスペンサーのピストンについて、前面から見た拡大した斜視図である。
【図４２】図４１のものについて、後面から見た拡大した斜視図である。
【図４３】そのピストンを前面から見た図である。
【図４４】図４１のピストンの側断面図である。
【図４５】そのピストンを後面から見た図である。
【図４６】図３2〜図３５の中の結合部材（リンケージ）の上面図である。
【図４７】図４６のものの側面図である。
【図４８】図４６のものの前面図である。
【図４９】図４６のものの後面図である。
【図５０】図３２の改良したポンプディスペンサーについて、トリガーを作動しない状態を示す斜視図である。
【図５１】図５０の５１−５１線に沿う断面図である。
【図５２】改良したポンプディスペンサーについて、トリガーをある程度押し下げた状態を示す、図５０と同様の斜視図である。
【図５３】図５２の５３−５３線に沿う断面図である。
【図５４】改良したポンプディスペンサーについて、トリガーを一杯に押し下げた状態を示す、図５２と同様の斜視図である。
【図５５】図５４の５５−５５線に沿う断面図である。
【図５６】図５１の中の一部を拡大した図である。
【図５７】図５３の中の一部を拡大した図である。
【図５８】図５５の中の一部を拡大した図である。
【図５９】図３１と同様な図であり、改良したポンプディスペンサーを手で握った状態を示す。
【図６０】図５９の中のトリガーを拡大した断面図であり、トリガーに対する手のかかり合いを示す。
【図６１】第１の他のポンプディスペンサーについて、時間対ロード（荷重）の関係を示すグラフである。
【図６２】第２の他のポンプディスペンサーについて、時間対ロード（荷重）の関係を示すグラフである。
【図６３】この発明の改良したポンプディスペンサーについて、時間対ロード（荷重）の関係を示すグラフである。  図面を通して、同様な部分に対して同様な符号を付ける。
【発明を実施するための形態】
【００４９】
図１〜図６０は、改良したポンプディスペンサー５、およびポンプのための改良したアクチュエータ７を示す。この発明による、改良したポンプディスペンサー５、およびポンプのための改良したアクチュエータ７は、容器１４として示す流体タンク１２から流体１０を放出する。改良したポンプディスペンサー５あるいはアクチュエータ７は、流体タンク１２に関してポンプ本体３０を支持するベース２０を備える。ポンプ本体３０は、トリガー５０によって作動されるピストン４０をもつ。その作動は、カム５５およびカムフォロアー６０、ならびに結合部材（リンケージ）７０を通して行われ、それにより、トリガー５０を押し下げ、ポンプ本体３０から流体１０を噴霧することができる。
【００５０】
改良したポンプディスペンサー５は、ポンプ本体３０、カム５５、カムフォロアー６０および結合部材（リンケージ）７０を覆うための装飾フード８０を含む。好ましくは、装飾フード８０を組み立て工程の間に交換可能にするのが良く、それにより、異なるいろいろな用途、異なる使用者、異なる取引先などに対してポンプディスペンサーの外観を変えることができる。
【００５１】
図２〜図５および図３２〜図３５は、この発明の改良したポンプディスペンサー５について装飾フード８０を取り除いて示す、互いに異なった図である。ベース２０には、ベース２０を流体タンク１２に取り付けるための流体タンクアタッチメント２１がある。ベーススリーブロックは、ベース２０にかみ合い、その間に流体タンクアタッチメント２１を位置させてベース２０を流体アタッチメント２１に取り付ける。流体タンクアタッチメント２１は、当業者によく知られたいろいろなアタッチメント仕掛けを備える。
【００５２】
この例では、ベース20は、ポンプ本体３０から分離している。図６〜図７および図３６〜図３７を参照しながら詳しく述べるように、ベースコネクタ２２が、変形を伴う結合によってポンプ本体３０をベース２０に結合する。ベース２０がポンプ本体３０から分離していることにより、異なるポンプ本体に交換することができる。異なるポンプ本体の交換により、カム５５およびカムフォロアー６０を備えるこの発明のアクチュエータを、異なるポンプデザイン、異なるポンプ特性および異なるポンプ流体に用いることができる。それとは別に、ベース２０とポンプ本本体とを単一の重合体材料で形作ることができる。
【００５３】
ベース２０には、ベース２０から伸びるベースアーム２３がある。ベースピボット２４は、ベースアーム２３上にあり、トリガー５０を回転するようになっている。この例では、ベース２０は、ベース２０から伸びる第１および第２のベースアーム２３Ａおよび２３Ｂを含み、それらの第１および第２のベースアーム２３Ａおよび２３Ｂは第１および第２のベースピボット２４Ａおよび２４Ｂを支持している。第１および第２のベースピボット２４Ａおよび２４Ｂは、インテグラルピンであり、互いに第１および第２のベースアーム２３Ａおよび２３Ｂ間に向かって伸びている。
【００５４】
図６は、図５のものからトリガー５０を取り除いて示す６−６線に沿う断面図である。図３６は、図３５のものからトリガー５０を取り除いて示す３６−３６線に沿う断面図である。ベース２０には、ポンプ本体３０を流体タンク１２に連通する一方向弁２５があり、流体を流体タンクからポンプ本体３０に流すことができる。一方向弁２５付近に浸しチューブ１６を連結し、流体１０を流体タンク１２の底部から取り出し、容器１４をより完全に空にすることができる。ベース２０には、ポンプ本体３０と流体タンク１２とを連通するベント（孔）２６があり、当業者が良く知るように、流体タンク１２に通気する。ピストン４０は、ポンプ本体３０の内部にスライド可能に支持されている。
【００５５】
図７は、図６のものの分解図であり、ベース２０からポンプ本体３０を分離して示す。また、図３７は、図３６のものの分解図であり、ベース２０からポンプ本体３０を分離して示す。この例において、ベースコネクタ２２は、一方向弁２５およびベント（孔）２６にかみ合う、複数の変形可能なロック３８を含む。それらのロック３８は、ポンプ本体３０をベース２０に固定するためのものである。当業者であれば、ベース２０に対してポンプ本体３０を固定するために、その他の異なる仕掛けを用いることができることであろう。
【００５６】
図８〜図１０は、図１〜図7に示す、この発明の改良したポンプディスペンサー５の中のポンプ本体３０のみの図である。また、図３８〜図４０は、図３１〜図３7に示す、この発明の改良したポンプディスペンサー５の中のポンプ本体３０のみの図である。ポンプ本体３０は、第１の端３１と第２の端３２との間に伸び、側壁３３をもつ概ね円筒形である。
【００５７】
ポンプ本体３０の」第１の端３１は、閉じた端であるのに対し、ポンプ本体３０の第２の端３２は開いている。ポンプ本体３０の閉じた第１の端には、ポンプ本体オリフィス３４がある。図３および図３３に示すように、ノズルチェック弁１００が、ポンプ本体オリフィス３４に結合され、ポンプ本体３０の中への空気戻りを防ぐ。側壁３３にはスロット３５があり、第２の端３２から伸びている。この例において、ポンプ本体３０の対向する側にあるものは、第１および第２の直線的なスロット３５Aおよび３５Bである。
【００５８】
流体入口ポート３６およびベントポート３７が、ポンプ本体３０の底部にある。それらの流体入口ポート３６およびベントポート３７は、一方向弁２５およびベント２６と連通している。複数の変形可能なロック３８は、一方向弁２５およびベント２６にかかわり合い、ポンプ本体３０をベース２０に固定し、ベースコネクタ２２を構成している。
【００５９】
図１１〜図１５は、図１〜図７に示すこの発明の改良したポンプディスペンサー５のピストン４０についての互いに異なる図である。また、図４１〜図４５は、図３１〜図３７に示すこの発明の改良したポンプディスペンサー５のピストン４０についての互いに異なる図である。ピストン４０は、弾力性があり円錐形の前部シェル４１と、弾力性があり円錐形の後部シェル４２とを備える。それらの前部シェル４１および後部シェル４２は、内部の円筒形プラグ４３によって支持されている。内部の円筒形プラグ４３の前端部４４は、ばねシート４５を定め、それに対し、内部の円筒形プラグ４３の後端部は、ピストンアクチュエータ面４７を定める。図６および図３６に戻ると、ピストン室４８は、側壁３３、ピストンの前部シェル４１およびポンプ本体３０の第１の端３１によって定まっている。ピストン４０は、前部シェル４１の末端近くに位置する、前部の環状シール４１Aと、後部シェル４２の末端近くに位置する、後部の環状シール４２Aとを含む。それらの前部の環状シール４１Aおよび後部の環状シール４２Aは、側壁３３の内側にかかわり合って、二重のシールを提供し、流体１０がポンプ本体３０から漏れることを防ぐ。
【００６０】
図１〜図３０、特には図１１〜図１５は、後部のピストンアクチュエータ面４７A（ピストンアクチュエータ面４７は、円錐形の後部シェル４２を越えた外側に位置する）を含むピストン４０を示す。また、図３１〜図６３、特には図４１〜図４５は、前部のピストンアクチュエータ面４７B（ピストンアクチュエータ面４７は、円錐形の前部シェル４１に隣接する）を含むピストン４０を示す。前部のピストンアクチュエータ面４７Bは、ポンプ本体３０の内部における流体１０の圧縮を増すことにより、ポンプディスペンサー２およびポンプ７のアクチュエータをより効率化する。さらに、前部のピストンアクチュエータ面４７Bは、ポンプ本体３０の準備に必要なトリガー５０排気の数を減らす。
【００６１】
リターンスプリング４９は、ピストン４０の円筒形の内部プラグ４３のばねシート４５と、ポンプ本体３０の第１の端３１との間にある。リターンスプリング４９は、図６および図３６に示すように、ピストン４０に対し仕事をしない位置への力を与える。ピストン４０の円錐形の前部シェル４１が、図６の左方向に動くと、ピストン室４８内部の流体をポンプ本体オリフィス３４から放出する。ピストン４０の直線的な動きと、ポンプ本体オリフィス３４の位置とから、ピストン４０からポンプ本体オリフィス３４までの流路は、直線的な流体通路となる。
【００６２】
ピストン４０が図６および図３６の左方向に動くことにより、ベントポート３７が開き、ポンプ本体３０の開いた第２の端３２と連通し、それによって、流体タンク１２に通気する。ピストン４０の円錐形の前部シェル４１が、図６の右方向に戻り、図６および図３６に示す仕事をしない位置まで動くと、一方向弁２５および流体入口ポート３６を通して流体タンク１２の流体１０を引き込み、ピストン室４８を流体１０で再び満たす。
【００６３】
図２〜図５および図３２〜図３５に戻ると、トリガー５０は、途中にトリガーピボット５３を伴って、第１の部分５１と第２の部分５２との間に伸びる。この例において、トリガーピボット５３は、トリガー５３の向かい合った端に位置する第１および第２のピボット孔５３Aおよび５３Bを備える。第１および第２のピボット孔５３Aおよび５３Bには、第１および第２のベースアーム２３Aおよび２３Bに支持した第１および第２のベースピボット２４Aおよび２４Bが入り、トリガー５０をベース２０に関して回転あるいは旋回する。
【００６４】
カム５５はトリガー５０の第１の部分５１にあり、それに対してフィンガーパッド５７はトリガー５０の第２の部分５２にある。この例において、カム５５は、トリガー５０の向かい合う端にある第１および第２のカム５５Aおよび５５Bを備える。第１および第２のカム５５Aおよび５５Bは、ポンプ本体３０の閉じた第１の端３１にあるポンプ本体オリフィス３４を跨ぐ。
【００６５】
カムフォロアー６０は、結合部材（リンケージ）７０によってピストン４０に結合される。カム５５とカムフォロアー６０とは、トリガー５０の第１の部分５１とピストン４０とをつなぎ、トリガー５０の第２の部分５２を押し下げ、ピストン４０を動かしてポンプ本体オリフィス３４から流体１０を噴霧することができる。
【００６６】
図１６〜図１８は、カムフォロアー６０をピストン４０に連結する、図２〜図５の結合部材（リンケージ）７０についての、互いに異なる図である。また、図４６〜図４９は、カムフォロアー６０をピストン４０に連結する、図３２〜図３５の結合部材（リンケージ）７０についての、互いに異なる図である。結合部材（リンケージ）７０は、ポンプ本体３０の側壁３３の外表面をスライドする内径をもつ、円筒形の中心リング７２を備える。結合部材（リンケージ）７０は、さらに、ポンプ本体３０の側壁３３の外表面をスライドする内径をもつ、部分的に円筒形の中心リング７２Bを備える。前部の付属物７３は、円筒形の中心リング７２の前端から伸び、カムフォロアー６０を支持する。この例において、前部の付属物７３は、第１および第２のカムフォロアー６１および６２を支持する、第１および第２の前部の付属物７３Aおよび７３Bを備える。円筒形の中心リング７２、ならびに第１および第２の前部の付属物７３Aおよび７３Bは、概ねU型の結合部材（リンケージ）７６を形作り、ポンプ本体３０の対向側を跨ぐ。
【００６７】
好ましくは、第１および第２のカムフォロアー６１および６２のそれぞれは、第１の下部および上部カムフォロアー６１Aおよび６１Bと、第２の下部および上部カムフォロアー６２Aおよび６２Bを含む、複数のカムフォロアーを備える。
【００６８】
後部の付属物７４は、円筒形の中心リング７２の後端から伸び、ピストンアクチュエータ７５を支持する。この例において、後部の付属物７４は、ピストンアクチュエータ７５を支持する、第１および第２の後部の付属物７４Aおよび７４Bを備える。ピストンアクチュエータ７５は、第１および第２の後部の付属物７４Aおよび７４Bの間に位置する、概ね円形のプレートとして示す。
【００６９】
図２〜７および図１９〜３０は、ポンプ本体３０にスライド可能に支持した結合部材（リンケージ）７０についての、互いに異なる図である。また、図３２〜３７および図５０〜５８は、ポンプ本体３０にスライド可能に支持した結合部材（リンケージ）７０についての、互いに異なる図である。ピストンアクチュエータ７５の直径は、ポンプ本体３０の内部側壁３３の内径よりも小さく、それにより、ピストンアクチュエータ７５がポンプ本体３０に入り込み、ピストンアクチュエータ面４７かかわり合って、ピストン４０を中に動かすことができる。ピストンアクチュエータ７５は、第１および第２のガイド７７Aおよび７７Bによって、第１および第２の後部の付属物７４Aおよび７４Bに固定される。第１および第２のガイド７７Aおよび７７Bは、ポンプ本体３０に定まる第１および第２の直線スロット３５Aおよび３５Bの内部をスライドし直線運動をする。
【００７０】
第１および第２の後部の付属物７４Aおよび７４Bは、また、下部のリテーナ７８を支持する。下部リテーナ７８は、内に円筒形の広がりをもつ部分的な円筒形であり、ポンプ本体３０の壁３３の外側の下部面をスライドする。より具体的には、下部リテーナ７８は、第1の下部リテーナ７８Aおよび第２の下部リテーナ７８Bを含む。第１および第２の直線スロット３５Aおよび３５B内部の第１および第２のガイド７７Aおよび７７Bと組み合う、円筒形の中心リング７２と、下部リテーナ７８とは、結合部材（リンケージ）およびカムフォロアー６０が直線的な動きをすることを確実にする。
【００７１】
図５、１８、２１、３５、４８、および４９に良く示すように、結合部材（リンケージ）７０は、円筒形の中心リング７２内に伸びる上部ガイドリブ７２Aを含む。第1の下部リテーナ７８Aおよび第２の下部リテーナ７８Bは、それぞれ、第１の下部ガイドリブ７９Aおよび第２の下部ガイドリブ７９Bを含む。上部ガイドリブ７２A、第１の下部ガイドリブ７９Aおよび第２の下部ガイドリブ７９Bは、円筒形の中心リング７２にスライド可能にかかわり合い、ポンプ本体３０から円筒形の中心リング７２を遠のけている。上部ガイドリブ７２A、第１の下部ガイドリブ７９Aおよび第２の下部ガイドリブ７９Bは、ポンプ本体３０に関する結合部材（リンケージ）７０の直線動を提供および方向付けることを助け、そして、結合部材（リンケージ）７０がポンプ本体３０に対して動かなくなることを防ぐ。
【００７２】
図３１〜６３および特に図４６〜４９は、第１の前部の付属物７３Aと第２の前部の付属物７３Bとの間に伸びる、付属物結合部材７３Cを含む結合部材（リンケージ）７０を示す。付属物結合部材７３Cは、ポンプディスペンサー５およびアクチュエータ７の作動に応じて、第１の前部の付属物７３Aおよび第２の前部の付属物７３Bが常態から離れることを防ぐ。より具体的には、付属物結合部材７３Cは、第１の前部の付属物７３Aおよび第２の前部の付属物７３Bの長さ方向に沿う、それらの付属物間の距離を一定にすることを助ける。第１の前部の付属物７３Aと第２の前部の付属物７３Bとの分離を防ぐことにより、ポンプ本体３０の能力が増進する。
【００７３】
図３１〜６３および特に図４６〜４９は、また、付属物結合部材７３C、第１のカムフォロアー６１および第２のカムフォロアー６２が、結合部材溝７３Dを定めることを示す。結合部材溝７３Dは、ポンプ本体オリフィス３４を部分的に取り囲むことによって、ポンプ本体３０に関する結合部材（リンケージ）７０の直線動を提供および方向付けることをさらに助け、そして、結合部材（リンケージ）７０がポンプ本体３０に対して動かなくなることを防ぐ。
【００７４】
図２２〜２３および図５０〜５１は、トリガーを作動しない状態における、改良したポンプディスペンサー５を示す。カム５５およびカムフォロアー６０は、結合部材（リンケージ）７０を通して、トリガー５０の第１の部分５１とピストン４０とを結合することによって、トリガー５０の第２の部分５２を押し下げ、ピストン４０を動かしてポンプ本体オリフィス３４から流体１０を噴霧することができる。トリガー５０の第１の部分５１は、ポンプ本体３０の第１の端３１の外側面にかかわり合うことによって、リターンスプリング４９の力で図２３および５４の右側に動くピストン４０のストッパとなる。
【００７５】
図２４〜２５および図５２〜５３は、トリガーをある程度押し下げた状態における、改良したポンプディスペンサー５を示す。カム５５およびカムフォロアー６０によって、トリガー５０の旋回の動きが結合部材（リンケージ）７０の直線的な動きに変わる。結合部材（リンケージ）７０の直線的な動きは、ピストン４０の直線的な動きに結びつき、ポンプ本体オリフィス３４から流体１０を噴霧する。
【００７６】
図２６〜２７および図５４〜５５は、トリガーを一杯に押し下げた状態における、改良したポンプディスペンサー５を示す。トリガー５０の旋回によって、リターンスプリング４４９のばね力に抗してピストンを動かし、ポンプ本体オリフィス３４から流体１０を噴霧する。トリガー５０の旋回は、ピストン４０とポンプ本体３０の第1の端３１との間のリターンスプリング４９の力によって制限される。
【００７７】
図２８は、トリガーを作動しない状態における図２３のものの一部を拡大して示す図である。また、図５６は、トリガーを作動しない状態における図５１のものの一部を拡大して示す図である。第２の下部および上部のカムフォロアー６２Aおよび６２Bは、第2のカム５５Bにかかわり合う。そのかかわり合いは、第１の下部および上部のカムフォロアー６１Aおよび６１Bと第1のカム５５Aとの間のそれと同様である。
【００７８】
図２９は、トリガーをある程度押し下げた状態における図２５のものの一部を拡大して示す図である。また、図５７は、トリガーをある程度押し下げた状態における図５３のものの一部を拡大して示す図である。第２の下部および上部のカムフォロアー６２Aおよび６２Bは、第2のカム５５Bに異なる方向でかかわり合う。同様のかかわり合いが、第１の下部および上部のカムフォロアー６１Aおよび６１Bと第1のカム５５Aとの間に生じる。
【００７９】
図３０は、トリガーを一杯に押し下げた状態における図２７のものの一部を拡大して示す図である。また、図５８は、トリガーを一杯に押し下げた状態における図５５のものの一部を拡大して示す図である。第２の下部および上部のカムフォロアー６２Aおよび６２Bは、第2のカム５５Bにまだ異なる方向でかかわり合う。同様のかかわり合いが、第１の下部および上部のカムフォロアー６１Aおよび６１Bと第1のカム５５Aとの間に生じる。カムフォロアー６０に組み合うカム５５の曲がりは、トリガー５０の回転運動を結合部材（リンケージ）７０の直線運動に変える。
【００８０】
図３１〜３５および図５０〜５５、ならびに特に図５９〜６０は、第１の凹み傾斜した凹所５６Aおよび第２の凹み傾斜した凹所５６Bを含むトリガー５０を示す。第１の凹み傾斜した凹所５６Aおよび第２の凹み傾斜した凹所５６Bは、トリガー５０上に手９０の１あるいは2以上の指９１，９２，９３を快適に置くことを助けることによって、トリガー５０の使い勝手を向上する。第１の凹み傾斜した凹所５６Aおよび第２の凹み傾斜した凹所５６Bは、トリガー５０の最適な位置に１あるいは２以上の指を配列することを助け、ポンプディスペンサー５およびアクチュエータ７を作動する。たとえば、図５９および６０は、トリガー５０の第１の凹み傾斜した凹所５６Aおよび第２の凹み傾斜した凹所５６Bを人差し指９１が押すことを示す。
【００８１】
さらには、トリガー５０に対し、トリガー５０の外面近くに楕円形の孔５７Aを含むことができる。傾斜する円筒形の面５７Bが、外側の楕円形の孔５７Aの下方に位置する。奥の楕円形の孔５７Cは、傾斜した円筒形の面５７の下方に位置する。外側の楕円形の孔５７A、傾斜する円筒形の面５７Bおよび奥の楕円形の孔５７Cの組合せによって、トリガー５０上に手９０の１あるいは2以上の指９１，９２，９３を快適に置くことを助け、トリガー５０の使い勝手を向上する。また、外側の楕円形の孔５７A、傾斜する円筒形の面５７Bおよび奥の楕円形の孔５７Cは、トリガー５０の最適な位置に１あるいは２以上の指を配列することを助け、ポンプディスペンサー５およびアクチュエータ７を作動する。図５９および６０は、トリガー５０の第１の凹み傾斜した凹所５６Aおよび第２の凹み傾斜した凹所５６Bを中指９２が押すことを示す。第１の凹み傾斜した凹所５６A、第２の凹み傾斜した凹所５６B、外側の楕円形の孔５７A、傾斜した円筒形の面５７Bおよび奥の楕円形の孔５７Cの組合せによって、手９０の１あるいは2以上の指９１，９２，９３を快適に置くことを助け、ポンプディスペンサー５およびアクチュエータ７を作動することができる。
【００８２】
図６１および６２は、他のポンプディスペンサーについて、時間対ロード（荷重）の関係を示すグラフである。図６１の中におけるポンプディスペンサーは、最大４．０４ポンド-力（すなわち、最大４．０４ｘ０．４５４ｋｇ-力）の荷重を１１秒の時間にわたって必要とした。また、図６２の中におけるポンプディスペンサーでは、最大５ポンド-力（すなわち、最大５ｘ０．４５４ｋｇ-力）の荷重を１０秒の時間にわたって必要とした。図６３は、改良したポンプディスペンサー５および改良したポンプ用のアクチュエータ７について、時間対ロード（荷重）の関係を示すグラフである。図６３の中における改良したもの５，７では、最大２．３６ポンド-力（すなわち、最大２．３６ｘ０．４５４ｋｇ-力）の荷重を１０秒の時間にわたって必要とすることが分かる。
【００８３】
この発明の内容には、以上の説明のほか、添付したクレームの記載事項も含む。  また、この発明の好ましい形態についてある程度詳しく説明したが、好ましい形態の説明は、あくまで例証である。具体的な構成、組合せおよび配置について、この発明の考え方および範囲から離れることなく、多くの変形をすることができる。
【図１】
2019531984.tif 000003
【図２】
2019531984.tif 000004
【図３】
2019531984.tif 000005
【図４】
2019531984.tif 000006
【図５】
2019531984.tif 000007
【図６】
2019531984.tif 000008
【図７】
2019531984.tif 000009
【図８】
2019531984.tif 000010
【図９】
2019531984.tif 000011
【図１０】
2019531984.tif 000012
【図１１】
2019531984.tif 000013
【図１２】
2019531984.tif 000014
【図１３】
2019531984.tif 000015
【図１４】
2019531984.tif 000016
【図１５】
2019531984.tif 000017
【図１６】
2019531984.tif 000018
【図１７】
2019531984.tif 000019
【図１８】
2019531984.tif 000020
【図１９】
2019531984.tif 000021
【図２０】
2019531984.tif 000022
【図２１】
2019531984.tif 000023
【図２２】
2019531984.tif 000024
【図２３】
2019531984.tif 000025
【図２４】
2019531984.tif 000026
【図２５】
2019531984.tif 000027
【図２６】
2019531984.tif 000028
【図２７】
2019531984.tif 000029
【図２８】
2019531984.tif 000030
【図２９】
2019531984.tif 000031
【図３０】
2019531984.tif 000032
【図３１】
2019531984.tif 000033
【図３２】
2019531984.tif 000034
【図３３】
2019531984.tif 000035
【図３４】
2019531984.tif 000036
【図３５】
2019531984.tif 000037
【図３６】
2019531984.tif 000038
【図３７】
2019531984.tif 000039
【図３８】
2019531984.tif 000040
【図３９】
2019531984.tif 000041
【図４０】
2019531984.tif 000042
【図４１】
2019531984.tif 000043
【図４２】
2019531984.tif 000044
【図４３】
2019531984.tif 000045
【図４４】
2019531984.tif 000046
【図４５】
2019531984.tif 000047
【図４６】
2019531984.tif 000048
【図４７】
2019531984.tif 000049
【図４８】
2019531984.tif 000050
【図４９】
2019531984.tif 000051
【図５３】
2019531984.tif 000052
【図５４】
2019531984.tif 000053
【図５５】
2019531984.tif 000054
【図５６】
2019531984.tif 000055
【図５７】
2019531984.tif 000056
【図５８】
2019531984.tif 000057
【図５９】
2019531984.tif 000058
【図６０】
2019531984.tif 000059
【図６１】
2019531984.tif 000060
【図６２】
2019531984.tif 000061
【図６３】
2019531984.tif 000062
【図６４】
2019531984.tif 000063
【図６５】
2019531984.tif 000064
【図６６】
2019531984.tif 000065
【国際調査報告】
2019531984.tif 000066